【手続補正書】
【提出日】平成22年11月30日(2010.11.30)
【手続補正１】
【補正対象書類名】特許請求の範囲
【補正対象項目名】全文
【補正方法】変更
【補正の内容】
【特許請求の範囲】
【請求項１】
高強度繊維シートを筒状に形成するとともに、上部および下部を封止することで袋状に形成し、内部に連通する管体であるモルタル注入管を設け、さらに、側面に長手方向に沿って複数の内部に貫通する孔であるストレーナ孔を形成した中空コンクリートポール用筒状補強部材を中空コンクリートポール側面に設けた穴から挿入して、中空コンクリートポール内部に吊り下げて配置する中空コンクリートポール用筒状補強部材固定工程と、
中空コンクリートポール用筒状補強部材固定工程の後に、前記モルタル注入管からモルタルを注入して、中空コンクリートポール用筒状補強部材内及び前記中空コンクリートポール内部にモルタルを充填させ、その後、硬化させるモルタル注入硬化工程を有する
中空コンクリートポール内部モルタル打設工法。
【請求項２】
以下の（１０１）〜（１１２）に記載の要件を備える中空コンクリートポール内部モルタル打設工法。
（１０１）  高強度繊維シートを筒状に形成するとともに、上部および下部を封止することで袋状に形成し、内部に連通する管体であるモルタル注入管を設け、さらに、側面に長手方向に沿って複数の内部に貫通する孔であるストレーナ孔を形成した中空コンクリートポール用筒状補強部材を用いる。
（１０２）  側方に広がる、所定の内径を有する中空コンクリートポールの内側面に係止する突っ張り部を有する中空コンクリートポール用固定装置を用いる。
（１０３）  中空コンクリートポールの内側上部に前記中空コンクリートポール用固定装置を頭部固定装置として固定し、中空コンクリートポールの内側下部に前記中空コンクリートポール用固定装置を底部固定装置として固定した後に行われる。
（１０４）  頭部固定装置には、中空コンクリートポールの側方に設けた孔から外部へ連通する管体である第一連通管が固定され、底部固定装置には、中空コンクリートポールの側方に設けた孔から外部へ連通する管体である第二連通管が固定される。
（１０５）  前記第一連通管又は前記第二連通管の端部位置には、前記中空コンクリートポール用筒状補強部材が通ることができる係合孔を有する係合孔部材が設けられる。
（１０６）  前記中空コンクリートポール用筒状補強部材のモルタル注入管の一端部側には前記係合孔部材の係合孔を塞ぐように外方に張り出すフランジ部が形成されている。
（１０７）  中空コンクリートポール外部より第一連通管内部から前記前記中空コンクリートポール内部を経由し係合孔を通って第二連通管内部から中空コンクリートポール外部に至るワイヤーが予め設けられている。
（１０８）  前記中空コンクリートポール用筒状補強部材のモルタル注入管が設けられていない他端部には第二係合部材が設けられる。
（１０９）  前記第一連通管又は前記第二連通管のうちの前記係合孔部材が設けられていない側の端部位置には前記ワイヤーに引かれて移動する前記第二係合部材に係合する第二被係合部材が設けられる。
（１１０）  第二係合部材が第二被係合部材に係合した状態で、前記モルタル注入管に設けられるフランジ部が前記係合部材の係合孔を塞ぐような長さを前記中空コンクリートポール用筒状補強部材は有する。
（１１１）  前記中空コンクリートポール用筒状補強部材の第二係合部材が設けられている部分を前記第二ワイヤーの一部と連結し、第二ワイヤーを引くことで、前記中空コンクリートポール用筒状補強部材を前記係合孔部材を通して、第二係合部材を第二被係合部材に係合固定するとともに、前記中空コンクリートポール用筒状補強部材のモルタル注入管に設けられるフランジ部により前記係合孔部材の係合孔を塞ぐ中空コンクリートポール用筒状補強部材固定工程を有する。
（１１２）  中空コンクリートポール用筒状補強部材固定工程の後に、前記第一連通管及び前記第二連通管のうち前記係合孔部材が設けられるほうからモルタルを注入して、中空コンクリートポール用筒状補強部材内及び前記中空コンクリートポール内部にモルタルを充填させ、その後、硬化させるモルタル注入硬化工程を有する。
【請求項３】
前記中空コンクリートポール内部モルタル打設工法は、  高強度繊維シートを筒状に形成するとともに、上部および下部を封止することで袋状に形成し、前記第一連通管端部が上端において内部に連通するとともに、前記第二連通管端部が下端において内部に連通する中空コンクリートポール用内壁補強シートが中空コンクリートポール内部に固定された後に行われる請求項２に記載のモルタル打設工法。
【請求項４】
さらに、以下の（３０１）から（３０５）に記載の要件を備える請求項２又は３に記載の中空コンクリートポール内部モルタル打設工法。
（３０１）  前記中空コンクリートポール用筒状補強部材は２以上設けられるものである。
（３０２）  前記係合穴部材から前記第二被係合部材に至る間に、複数の前記中空コンクリートポール用筒状補強部材を中空コンクリートポールの中心軸に対称に配置するように保持する支持枠を有する支持フレームが設けられる。
（３０３）  前記第二係合部材及び前記係合孔は前記中空コンクリートポール用筒状補強部材の数だけ設けられる。
（３０４）  前記ワイヤーは前記中空コンクリートポール用筒状補強部材の数だけ設けられ、それぞれが支持フレームの各支持枠、係合孔部材の各係合孔を通り、各第二被係合部に各第二係合部を導くようにを予め通されている。
（３０５）  前記中空コンクリートポール用筒状補強部材固定工程がすべての中空コンクリートポール用筒状補強部材に関して完了した後に、前記モルタル硬化工程が行われる。
【請求項５】
前記支持フレームは開閉自在であり、前記中空コンクリートポール用筒状補強部材が通ることにより開くように形成されている請求項４に記載の中空コンクリートポール内部モルタル打設工法。
【請求項６】
前記支持フレームは、前記中空コンクリートポール用筒状補強部材の数だけ設けられる、前記係合穴部材から前記第二被係合部材に至る紐体と、前記各紐体を互いに等距離になるように連結する連結体と、紐体に固定される支持枠となる、前記中空コンクリートポール用筒状補強部材の数だけ設けられる、リング体とから形成される請求項４に記載の中空コンクリートポール内部モルタル打設工法。
【請求項７】
さらに、以下の（６０１）から（６０９）に記載の要件を備える請求項２から６のいずれか１項に記載の中空コンクリートポール内部モルタル打設工法。
（６０１）  筒状に形成されるとともに、上部および下部を封止することで袋状に形成され、端部に内部に連通する管体である気体注入管が設けられた中空コンクリートポール用内部型枠が用いられる。
（６０２）  前記係合孔部材は、前記中空コンクリートポール用内部型枠が通ることができる第二係合孔を有する。
（６０３）  前記中空コンクリートポール用内部型枠の空気注入管が設けられる一端部には第二係合孔を通ることができない係合突起が設けられる。
（６０４）  第一連通管内部から前記前記中空コンクリートポール用内壁補強シート内部を経由し第二係合孔を通って第二連通管内部に至る第三ワイヤーが予め設けられている。
（６０５）  前記中空コンクリートポール用内部型枠の係合突起が設けられていない他端部には第三係合部材が設けられる。
（６０６）  前記中空コンクリートポール用内壁補強シートの内部の前記第二被係合部材が存する位置には第三ワイヤーに引かれて移動する前記第三係合部材に係合する第三被係合部材が設けられる。
（６０７）  第三係合部材が第三被係合部材に係合した状態で、前記係合突起が第二係合孔に係合するような長さを前記中空コンクリートポール用内部型枠は有する。
（６０８）  前記モルタル硬化工程前に、前記中空コンクリートポール用内部型枠の第三係合部材が設けられている部分を前記第三ワイヤーの一部と連結し、第三ワイヤーを引くことで、前記中空コンクリートポール用内部型枠を前記第二係合孔部材を通して、第三係合部材を第三被係合部材に固定するとともに、前記中空コンクリートポール用内部型枠の前記係合突起を前記係合孔部材の前記第二係合孔に係合させる内部型枠固定工程を有する。
（６０９）  内部型枠固定工程の後、モルタル硬化工程前に前記中空コンクリートポール用内部型枠の気体注入管を通じて前記中空コンクリートポール用内部型枠内部に気体を送り込んで前記中空コンクリートポール用内部型枠を膨らませる内部型枠膨張行程を有する。
【請求項８】
前記中空コンクリートポール用内部型枠の側面には、高強度繊維シートが巻きつけられている請求項７に記載の中空コンクリートポール内部モルタル打設工法。
【請求項９】
請求項１から８のいずれか１項に記載の中空コンクリートポール内部モルタル打設工法により形成される内部にモルタルを充填した中空コンクリートポールの補強構造。
【請求項１０】
高強度繊維シートを筒状に形成するとともに、上部および下部を封止することで袋状に形成し、内部に連通する管体であるモルタル注入管を設け、さらに、側面に長手方向に沿って複数の内部に貫通する孔であるストレーナ孔を形成した中空コンクリートポール用筒状補強部材。
【手続補正２】
【補正対象書類名】明細書
【補正対象項目名】０００４
【補正方法】変更
【補正の内容】
【０００４】
上記課題を解決するために、本発明は次のような構成を有する。
請求項１に記載の発明は、高強度繊維シートを筒状に形成するとともに、上部および下部を封止することで袋状に形成し、内部に連通する管体であるモルタル注入管を設け、さらに、側面に長手方向に沿って複数の内部に貫通する孔であるストレーナ孔を形成した中空コンクリートポール用筒状補強部材を中空コンクリートポール側面に設けた穴から挿入して、中空コンクリートポール内部に吊り下げて配置する中空コンクリートポール用筒状補強部材固定工程と、中空コンクリートポール用筒状補強部材固定工程の後に、前記モルタル注入管からモルタルを注入して、中空コンクリートポール用筒状補強部材内及び前記中空コンクリートポール内部にモルタルを充填させ、その後、硬化させるモルタル注入硬化工程を有する中空コンクリートポール内部モルタル打設工法である。
請求項２に記載の発明は、中空コンクリートポール内にモルタルを打設する中空コンクリートポール内部モルタル打設工法であって、以下の（１０１）〜（１１２）に記載の要件を備える。
（１０１）  高強度繊維シートを筒状に形成するとともに、上部および下部を封止することで袋状に形成し、内部に連通する管体であるモルタル注入管を設け、さらに、側面に長手方向に沿って複数の内部に貫通する孔であるストレーナ孔を形成した中空コンクリートポール用筒状補強部材を用いる。
（１０２）  側方に広がる、所定の内径を有する中空コンクリートポールの内側面に係止する突っ張り部を有する中空コンクリートポール用固定装置を用いる。
（１０３）  中空コンクリートポールの内側上部に前記中空コンクリートポール用固定装置を頭部固定装置として固定し、中空コンクリートポールの内側下部に前記中空コンクリートポール用固定装置を底部固定装置として固定した後に行われる。
（１０４）  頭部固定装置には、中空コンクリートポールの側方に設けた孔から外部へ連通する管体である第一連通管が固定され、底部固定装置には、中空コンクリートポールの側方に設けた孔から外部へ連通する管体である第二連通管が固定されている。
（１０５）  前記第一連通管又は前記第二連通管の端部位置には、前記中空コンクリートポール用筒状補強部材が通ることができる係合孔を有する係合孔部材が設けられる。
（１０６）  前記中空コンクリートポール用筒状補強部材のモルタル注入管の一端部側には前記係合孔部材の係合孔を塞ぐように外方に張り出すフランジ部が形成されている。
（１０７）  中空コンクリートポール外部より第一連通管内部から前記前記中空コンクリートポール内部を経由し係合孔を通って第二連通管内部から中空コンクリートポール外部に至るワイヤーが予め設けられている。
（１０８）  前記中空コンクリートポール用筒状補強部材のモルタル注入管が設けられていない側の他端部には第二係合部材が設けられる。
（１０９）  前記第一連通管又は前記第二連通管のうちの前記係合孔部材が設けられていない側の端部位置には前記ワイヤーに引かれて移動する前記第二係合部材に係合する第二被係合部材が設けられる。
（１１０）  第二係合部材が第二被係合部材に係合した状態で、前記モルタル注入管に設けられるフランジ部が前記係合部材の係合孔を塞ぐような長さを前記中空コンクリートポール用筒状補強部材は有する。
（１１１）  前記中空コンクリートポール用筒状補強部材の第二係合部材が設けられている部分を前記第二ワイヤーの一部と連結し、第二ワイヤーを引くことで、前記中空コンクリートポール用筒状補強部材を前記係合孔部材を通して、第二係合部材を第二被係合部材に係合固定するとともに、前記中空コンクリートポール用筒状補強部材のモルタル注入管に設けられるフランジ部により前記係合孔部材の係合孔を塞ぐ中空コンクリートポール用筒状補強部材固定工程を有する。
（１１２）  中空コンクリートポール用筒状補強部材固定工程の後に、前記第一連通管及び前記第二連通管のうち前記係合孔部材が設けられるほうからモルタルを注入して、中空コンクリートポール用筒状補強部材内及び前記中空コンクリートポール内部にモルタルを充填させ、その後、硬化させるモルタル注入硬化工程を有する。
【手続補正３】
【補正対象書類名】明細書
【補正対象項目名】０００５
【補正方法】変更
【補正の内容】
【０００５】
請求項３に記載の発明は、請求項２に記載の中空コンクリートポール内部モルタル打設工法は、高強度繊維シートを筒状に形成するとともに、上部および下部を封止することで袋状に形成し、前記第一連通管端部が上端において内部に連通するとともに、前記第二連通管端部が下端において内部に連通する中空コンクリートポール用内壁補強シートが中空コンクリートポール内部に固定された後に行われるものである。
請求項４に記載の発明は、請求項２又は３に記載の中空コンクリートポール内部モルタル打設工法において、さらに、以下の（３０１）から（３０５）に記載の要件を備えるものである。
（３０１）  前記中空コンクリートポール用筒状補強部材は２以上設けられるものである。
（３０２）  前記係合穴部材から前記第二被係合部材に至る間に、複数の前記中空コンクリートポール用筒状補強部材を中空コンクリートポールの中心軸に対称に配置するように保持する支持枠を有する支持フレームが設けられる。
（３０３）  前記第二係合部材及び前記係合孔は前記中空コンクリートポール用筒状補強部材の数だけ設けられる。
（３０４）  前記ワイヤーは前記中空コンクリートポール用筒状補強部材の数だけ設けられ、それぞれが支持フレームの各支持枠、係合孔部材の各係合孔を通り、各第二被係合部に各第二係合部を導くようにを予め通されている。
（３０５）  前記中空コンクリートポール用筒状補強部材固定工程がすべての中空コンクリートポール用筒状補強部材に関して完了した後に、前記モルタル硬化工程が行われる。
【手続補正４】
【補正対象書類名】明細書
【補正対象項目名】０００６
【補正方法】変更
【補正の内容】
【０００６】
請求項５に記載発明は、請求項４に記載の中空コンクリートポール内部モルタル打設工法において、前記支持フレームは開閉自在であり、前記中空コンクリートポール用筒状補強部材が通ることにより開くように形成されているものである。
請求項６に記載の発明は、請求項４に記載の中空コンクリートポール内部モルタル打設工法において、前記支持フレームは、前記中空コンクリートポール用筒状補強部材の数だけ設けられる、前記係合穴部材から前記第二被係合部材に至る紐体と、前記各紐体を互いに等距離になるように連結する連結体と、紐体に固定される支持枠となる、前記中空コンクリートポール用筒状補強部材の数だけ設けられる、リング体とから形成されるものである。
【手続補正５】
【補正対象書類名】明細書
【補正対象項目名】０００７
【補正方法】変更
【補正の内容】
【０００７】
請求項７に記載の発明は、請求項２から６に記載の中空コンクリートポール内部モルタル打設工法において、さらに、以下の（６０１）から（６０９）に記載の要件を備えるものである。
（６０１）  筒状に形成されるとともに、上部および下部を封止することで袋状に形成され、端部に内部に連通する管体である気体注入管が設けられた中空コンクリートポール用内部型枠が用いられる。
（６０２）  前記係合孔部材は、前記中空コンクリートポール用内部型枠が通ることができる第二係合孔を有する。
（６０３）  前記中空コンクリートポール用内部型枠の空気注入管が設けられる端部には第二係合孔を通ることができない係合突起が設けられる。
（６０４）  第一連通管内部から前記前記中空コンクリートポール用内壁補強シート内部を経由し第二係合孔を通って第二連通管内部に至る第三ワイヤーが予め設けられている。
（６０５）  前記中空コンクリートポール用内部型枠の係合突起が設けられていない端部には第三係合部材が設けられる。
（６０６）  前記中空コンクリートポール用内壁補強シートの内部の前記第二被係合部材が存する位置には第三ワイヤーに引かれて移動する前記第三係合部材に係合する第三被係合部材が設けられる。
（６０７）  第三係合部材が第三被係合部材に係合した状態で、前記係合突起が第二係合孔に係合するような長さを前記中空コンクリートポール用内部型枠は有する。
（６０８）  前記モルタル硬化工程前に、前記中空コンクリートポール用内部型枠の第三係合部材が設けられている部分を前記第三ワイヤーの一部と連結し、第三ワイヤーを引くことで、前記中空コンクリートポール用内部型枠を前記第二係合孔部材を通して、第三係合部材を第三被係合部材に固定するとともに、前記中空コンクリートポール用内部型枠の前記係合突起を前記係合孔部材の前記第二係合孔に係合させる内部型枠固定工程を有する。
（６０９）  内部型枠固定工程の後、モルタル硬化工程前に前記中空コンクリートポール用内部型枠の気体注入管を通じて前記中空コンクリートポール用内部型枠内部に気体を送り込んで前記中空コンクリートポール用内部型枠を膨らませる内部型枠膨張行程を有する。
請求項８に記載の発明は、請求項７に記載の中空コンクリートポール内部モルタル打設工法において、前記中空コンクリートポール用内部型枠の側面には、高強度繊維シートが巻きつけられているものである。
【手続補正６】
【補正対象書類名】明細書
【補正対象項目名】０００８
【補正方法】変更
【補正の内容】
【０００８】
請求項９に記載の発明は、前記中空コンクリートポール内部モルタル打設工法により形成される内部にモルタルを充填した中空コンクリートポールの補強構造である。
請求項１０に記載の発明は、高強度繊維シートを筒状に形成するとともに、上部および下部を封止することで袋状に形成し、内部に連通する管体であるモルタル注入管を設け、さらに、側面に長手方向に沿って複数の内部に貫通する孔であるストレーナ孔を形成した中空コンクリートポール用筒状補強部材である。
【手続補正７】
【補正対象書類名】明細書
【補正対象項目名】０００９
【補正方法】変更
【補正の内容】
【０００９】
請求項１、２に記載の発明は、中空コンクリートポールの側面に設けた穴から中空コンクリートポール内に筒状補強部材を敷設し、内部にモルタルを打設することができる。
請求項３に記載の発明は、中空コンクリートポール内部に高強度繊維シートからなる内壁補強部材による補強に加えて、中空コンクリートポール内部にモルタルを打設することができる。
請求項４に記載の発明は、筒状補強部材を複数、対称に配列することができる。
請求項５に記載の発明は、支持フレームが開閉自在であることによりコンクリートポール側面の穴を閉じた状態で通ることができ、内部で広がることで筒状補強部材同士の間隔を広げて配置することができる。
請求項６に記載の発明は、支持フレームが紐体と連結体とリング体とから形成されるので、機械的構造がないため故障する可能性を低減することができる。
請求項７に記載の発明は、内部型枠を内壁補強シート内に設置したのちにモルタルを打設することで、打設するモルタルを少なくすることができる。
請求項８に記載の発明は、内部型枠に高強度繊維シートを巻きつけることで、より補強の強度を高めることができる。
【手続補正８】
【補正対象書類名】明細書
【補正対象項目名】００１０
【補正方法】変更
【補正の内容】
【００１０】
請求項９に記載の発明は、中空コンクリートポールをモルタルを打設した補強構造が得られる。
請求項１０に記載の発明は、筒状の高強度繊維シートから構成される筒状補強部材も、細くすることができ、かつ、自在に曲がるので、中空コンクリートポールの側面に設けた穴から挿入して、中空コンクリートポール中空部のほぼ全長に渡って設置することができ、補強作業を簡易かつ安全に行うことができる。そして、モルタル注入管からモルタルを注入することで、筒状補強部材の形状を変えることができるとともに、ストレーナ孔からモルタルを流れださせることで、外部にもモルタルを注入することができる。